(57)【特許請求の範囲】
【請求項１】
第１のユニット（４）への取付けのためのホルダであって、
ロック装置（６，８，１０）と、前記第１のユニット（４）に当て付けられるための耐力部（２）とが設けられており、
前記ロック装置（６，８，１０）に、
第１の端部と第２の端部とを備えるねじ山付ロッキングシャフト（６）が設けられており、該ねじ山付ロッキングシャフト（６）が、前記耐力部（２）を通過しておりかつ該耐力部（２）に対して軸方向に可動であり、
前記ねじ山付ロッキングシャフト（６）の第１の端部を収容するためのねじ山付孔を備えたハンドル（８）が設けられており、
ねじ山付ロッキングシャフト（６）の第２の端部に堅く結合されたロッキングエレメント（１０）とが設けられている形式のものにおいて、
耐力部（２）の内部に配置された少なくとも１つの傾斜した肩部（１２）が設けられており、該傾斜した肩部（１２）に当接しながら、前記ロッキングエレメント（１０）が軸方向に可動であり、
前記ハンドル（８）の回転がねじ山付ロッキングシャフト（６）をねじ山付孔内へねじ込み、これにより、前記ねじ山付ロッキングシャフト（６）および前記ロッキングエレメント（１０）を、前記傾斜した肩部（１２）に当接させながら軸方向に引っ張り、同時に、ロッキングエレメント（１０）が第１のユニット内へ挿入可能な第１の位置から、耐力部（２）を第１のユニット（４）に対して保持するためにロッキングエレメント（１０）が第１のユニット（４）に対して押しつけられる第２の位置へ、前記ロッキングエレメント（１０）の回転を生ぜしめることを特徴とする、ホルダ。
【請求項２】
少なくとも１つのばね（１８）が、ホルダに配置されておりかつ前記ロッキングエレメント（１０）に結合されており、これにより、前記ハンドル（８）が取外しのために回転させられた時に、ロッキングエレメント（１０）を当初の位置に戻すようになっている、請求項１記載のホルダ。
【請求項３】
前記ねじ山付ロッキングシャフト（６）と前記ロッキングエレメント（１０）とが、単一の部材として構成されている、請求項１または２記載のホルダ。
【請求項４】
少なくとも第２のユニットのための結合部（２６）を有している、請求項１から３までのいずれか１項記載のホルダ。
【請求項５】
請求項１から４までのいずれか１項記載のホルダをロックするための第１のユニット（４）において、該第１のユニットが、前記ロッキングエレメント（１０）を収容するのに十分に深い十分に長手方向のチャネルを備えて構成されており、さらに、縁部（１６）を有しており、該縁部に当接されながら前記ロッキングエレメントが、回転および軸方向運動によって緊締されるようになっていることを特徴とする、第１のユニット。
【発明の詳細な説明】
【０００１】
本発明は、請求項１の上位概念部によるホルダに関する。
【０００２】
装置に設けられた器具、レール等の種々異なるコンポーネントが、互いに結合される場合に、この結合は、堅固でかつ安定していなければならない。組立てと、取外しと、ホルダの再位置決めとが、迅速かつ簡単に行われると有利である。
【０００３】
本発明の１つの目的は、所望の特性を有するホルダを達成することである。
【０００４】
ホルダが請求項１の特徴部に記載された特徴を有する場合に、本発明により、１つの上記のホルダが達成される。
【０００５】
有利な改良および実施例とが、請求項１に係る従属請求項から明らかである。
【０００６】
軸方向運動とロッキング回転とが同時に起こる設計により、ホルダが結合されるユニットに設けられた溝またはそれに相当する収容部へ軸方向に挿入するためのロッキングエレメントを構成することができる。次いで、ロッキングエレメントはねじ込まれ、その結果、１つまたは複数の傾斜した肩部が、ロック装置を回転させ、収容部内の接触面に当接したロッキング位置を占めさせる。これは、組立ておよび取外しをきわめて容易にする。
【０００７】
ロッキングエレメントのばね負荷は、取外し時に、装置が常に当初の位置に戻ることを保証する。
【０００８】
ロッキングシャフトとロッキングエレメントとが単一のコンポーネントとして構成されていると、ロッキング装置におけるコンポーネント数は、最小限に保持される。
【０００９】
本発明によるホルダの１つの実施例を、図面を参照して、詳細に説明する。
【００１０】
図１は、ユニットに対して、第１のロック解除位置を占めた本発明によるホルダの１つの実施例を示している。
【００１１】
図２は、ユニットに対して、第２のロックされた位置を占めた図１の実施例を示している。
【００１２】
図３は、ホルダ内部における、ロッキングエレメントとロッキングシャフトとの実施例を示している。
【００１３】
図４は、ホルダ全体を示している。
【００１４】
図１および図２は、本発明によるホルダのロック原理を示しており、したがって、以下の説明は、これら両図を参照している。
【００１５】
ホルダは、耐力部２を有しており、耐力部２は、この例においては、結合のために第１のユニット４に当て付けられている。ロッキングシャフト若しくはねじ山つきシャフト６は、耐力部２内で軸方向に運動するために配置されており、シャフトの一方の端部はねじ山が設けられておりかつハンドル８に結合されている。ハンドル８を回転させることにより、ロッキングシャフト６はハンドル８内へとねじ込まれる。他方の端部において、ロッキングシャフト６は、ロッキングエレメント１０に堅く結合されている。２つの傾斜した肩部１２（１つのみ図示）は、耐力部２内に配置されている。傾斜した肩部１２は、ハンドル８が軸方向の運動を行う時に、ロッキングエレメント１０が回転させられるように配置されている。
【００１６】
第１のユニット４は、チャネル１４を有している。チャネル１４は、有利には、長手方向に延びており、例えば、Ｔ溝等の溝から構成されることができる。第１のユニット４は、チャネル１４の開口において縁部１６を有しており、縁部１６は、開口をチャネル１４よりも挟幅にしている。開口およびロッキングエレメント１０の幅は、ロッキングエレメント１０が開口を通じて挿入されることができるように互いに形成されている。
【００１７】
ホルダが第１のユニット４に結合される時、ロッキングエレメント１０は、これに応じて、第１のユニット４の開口を通じてチャネル１４内に挿入される。
【００１８】
次いで、ハンドル８が回転させられ、これにより、ロッキングシャフト６をハンドル８内にねじ込ませる。次いで、ロッキングエレメント１０は、傾斜した肩部１２に当接しながら引っ張られ、このことが、ロッキングエレメント１０を回転させる。この回転は、ロッキングエレメント１０の一部を縁部１６に接触させ、縁部１６が耐力部２とロッキングエレメント１０との間に緊締され、これにより、ホルダを第１のユニット４に結合させる。
【００１９】
取外し時に、ハンドル８は、ロッキングシャフト６をねじ出すために、反対方向に回転させられる。次いで、ロッキングエレメント１０は、傾斜した肩部１２から離れるように持ち上げられ、当初の位置に戻ることができる。次いで、ホルダは、第１のユニット４から簡単に取り外しすることができる。
【００２０】
ロッキングエレメント１０の当初の位置への戻りを容易にするために、この例では、トーションバー１８が、耐力部２内に配置されておりかつロッキングシャフト６に取り付けられている。トーションバー１８は、ロック時に、ロッキングエレメント１０が回転させられた時に、緊張するように取り付けられている。
【００２１】
ホルダは、ホルダを取り外そうとする場合にロッキングエレメント１０に軸方向の圧力を加える、押圧ばねを有することもできる。しかしながら、押圧ばねは図示されていない。
【００２２】
図３は、結合されたロッキングエレメント１０とロッキングシャフト６とを示している。図３は、ロッキングシャフト６のねじ山付の部分を明瞭に示している。複合的なコンポーネントの使用は、ホルダが、より少ない部材を有しており、製造および組立てがより容易であることを意味する。ロッキングエレメント１０用に示されている構成は、ロッキングエレメント１０の両側に傾斜部２０Ａ，２０Ｂをも有している。第１のユニットの縁部に押し付けられる接触面２２Ａ，２２Ｂが、傾斜部２０Ａ，２０Ｂに配置されている。これらの傾斜部２０Ａ，２０Ｂにより、ロッキングエレメント１０の高さを比較的高くすることができ、これにより、ハンドルの安定性を増大させている。
【００２３】
図４は、付加的なユニット（図示せず）を取り付けるためのホルダの態様を示している。この場合に、耐力部２は、ほぼＬ字形である。ロッキング装置（ロッキングエレメント１０のみを図示した）を備えたハンドル８が、一方の脚部に取り付けられている。さらに、ガイド手段２４が、耐力部２に配置されている。第１のユニットへの結合時において、ガイド手段２４は、開口内へと挿入されており、これにより、ハンドル全体がねじれ負荷を受けたときに安定性に寄与する。
【００２４】
付加的なユニットのための結合部若しくは保持部２６が、耐力部２の他方の脚部に配置されている。付加的なユニットは、耐力部２にねじ込まれることができる。
【００２５】
本発明のホルダを使用する１つの例は、呼吸ケアにおいてである。ホルダは、人工呼吸器のためのキャリッジを支持したＴ溝レール（またはこれに類似するもの）に結合することができる。次いで、注入バッグまたは異なる種類の器具を保持するために、連接されたアームがホルダに取り付けられる。しかしながら、ホルダは、種々異なるユニットの取外し可能な結合が所望される全ての領域において使用することができる。
【図面の簡単な説明】
【図１】  ユニットに対する、第１のロック解除位置を占めた本発明によるホルダの１つの実施例を示している。
【図２】  ユニットに対する、第２のロックされた位置を占めた図１の実施例を示している。
【図３】  ホルダ内部における、ロッキングエレメントとロッキングシャフトとの実施例を示している。
【図４】  ホルダ全体を示している。
【符号の説明】
２  耐力部、  ４  第１のユニット、  ６  ロッキングシャフト、  ８  ハンドル、  １０  ロッキングエレメント、  １２  傾斜した肩部、  １４  チャネル、  １６  縁部、  １８  トーションバー、  ２０Ａ，２０Ｂ  傾斜部、  ２２Ａ，２２Ｂ  接触面、  ２４  ガイド手段、  ２６  連結部
【図１】
0004646169.tif 000002
【図２】
0004646169.tif 000003
【図３】
0004646169.tif 000004
【図４】
0004646169.tif 000005